Podtech/llm-jp-corpus-v4-ja_patent huggingface dataset:
(57)【要約】      （修正有）【課題】  接着容易性、強度の結合力、簡単な分離、を改善する粘着テープを提供する。【解決手段】  粘着テープの粘着層にカプセルを分散させて入れ、カプセルの膨張により剥離を容易にすることを特徴とする。カプセルの膨張が、熱により、または、水と結合することによる体積膨張、アルコールと結合することによる体積膨張、カプセル内の２成分が反応により体積膨張などから成る。【選択図】図１
2006169274.tif 000002
【特許請求の範囲】
【請求項１】
粘着層に膨張可能なカプセルが混入されていることを特徴とする粘着テープ。
【請求項２】
請求項１記載の粘着テープにおいて、カプセルが熱により膨張することを特徴とする粘着テープ。
【請求項３】
請求項１記載の粘着テープにおいて、カプセルは、水と結合することにより体積が変化することを特徴とする粘着テープ。
【請求項４】
請求項１記載の粘着テープにおいて、カプセルは、アルコールと結合することにより体積が変化することを特徴とする粘着テープ。
【請求項５】
請求項２記載の粘着テープにおいて一定温度になるまでカプセル外皮が膨張を妨げていることを特徴とする粘着テープ。
【請求項６】
請求項１ないし請求項５いずれか記載の粘着テープにおけるカプセルが膨張物質であることを特徴とする粘着テープ。
【請求項７】
請求項１記載の粘着テープにおいてカプセル内に２成分を持ち、高圧力を掛けることにより２成分の反応により体積が増えることを特徴とする粘着テープ。
【請求項８】
請求項１記載の粘着テープにおいて、カプセルは、２成分の物を持ち、外部から高圧を欠けることにより、
隣接した異なるカプセルの反応により体積が増えることを特徴とする粘着テープ。
【発明の詳細な説明】
【技術分野】
【０００１】
本発明は、機器における外装部品に貼り付けられる、シール、バッチ、ロゴマーク等の接着に用いられる粘着テープに関する。
【背景技術】
【０００２】
従来外装部品、特に樹脂成形部品における、異材料の接着結合において、分離容易にすることが、リサイクルの観点から求められている。これは、異材料がリサイクル時に混入すると、再ペレット化され、再使用したときに、材料の性能が著しく劣化する為である。このため、相溶性のラベル、粘着剤、塗料など、多岐に渡り考案されてきている。
【０００３】
又、異材料については、分離しやすい粘着テープの使用、裏面からの突き剥がす為の穴、引きはがすための切り欠きなどの工夫がなされてきた（例えば、特許文献１参照）。
【特許文献１】特開２００４―２１９７０９号公報
【発明の開示】
【発明が解決しようとする課題】
【０００４】
しかしながら、従来では不十分であった。本発明は、以上の点に着目して成されたもので、接着容易性、強度の結合力、簡単な分離、を改善する粘着テープを提供するものである。
【課題を解決するための手段】
【０００５】
粘着テープの粘着層にカプセルを分散させて入れ、カプセルの膨張により剥離を容易にすることを特徴とする。
【発明の効果】
【０００６】
本発明によれば、粘着物質の内部に、体積膨張物質を分散させて、配置することにより、一定のトリガーにより粘着部分の分離を促進することが出来る。この構成の粘着テープを使用することにより、強度の粘着、容易な、分離が可能となる。
【０００７】
従って、リサイクル時の、材料の分離が容易に行うことが可能となった。
【発明を実施するための最良の形態】
【０００８】
以下本発明を実施するための最良の形態を、実施例により詳しく説明する。
【実施例】
【０００９】
実施例は、図面により説明する。
【００１０】
図１は、ベース４に基材１が粘着剤３で接着されている様子が表されている。粘着剤の中には、カプセル２適度に分散されている。
【００１１】
図２は、カプセル２が体積膨張しベースから粘着剤が離れている様子を表している。
【００１２】
図で明らかなように、分散された物質が膨張する力により接着が剥がされる。
【００１３】
請求項２から５で表したように、この膨張を誘引する方法は、いろいろな方法が考えられるが、請求項５で表すように、熱による膨張の場合は、カプセル上がよく、ある一定温度たとえば摂氏８０度付近で破壊するカプセル有効で、８０度以下の場合は、カプセルの皮膜が形状を保持し内圧のみが上昇温度が下がった場合は、内圧が下がり、通常状態に戻る。カプセル内部物質は、ゲル状、液状でもよく、個体でも可能である。温度により体積が生じる物質を使用する。
【００１４】
従って、この構成によると、８０度以上に温度が上がると急激にカプセルが破壊し体積が増えるので、接着されていた物が、一気に剥離される。粘着部の弾性は、低い物が好ましく、良好な結果を得られる。
【００１５】
また、カプセル上でない、分散物を使用する場合、請求項６の場合は、請求項５の場合と異なり、粘着剤３は、若干の延長性を持たせ、若干の温度変化では、分離しにくくするのがよい。上記構成により、非確定低い温度では、剥がれなくすることが重要である。
【００１６】
分離時には、高熱風を与えるか、又はアイロン状の物で加熱することで分離する。
【００１７】
請求項３においては、カプセル状の物質が水分を多量に受けることにより、体積膨張を起こす、物質を使用する。
【００１８】
請求項４においては、カプセル状の物質がアルコール分を多量に受けることにより、体積膨張を起こす、物質を使用する。
【００１９】
請求項７においては、カプセル内に２成分を持たせカプセルに高圧力を与えると、２成分が反応し、体積膨張し分離する、高圧力は、たとえば、ハンマーで殴打する、又は、ローラー間を通して圧力を掛けるといった方法を使用する。
【００２０】
請求項８は、カプセルを２種類の物質とし、隣接カプセルによる反応により体積膨張を発生させる。
【図面の簡単な説明】
【００２１】
【図１】ベースに基材が強固に粘着されている様子を示す図
【図２】ベースから、基材がカプセルの膨張により剥離されている図を示す拡大断面説明図
【符号の説明】
【００２２】
１  基材
２  カプセル
３  粘着剤
４  ベース
【図１】
2006169274.tif 000003
【図２】
2006169274.tif 000004
(57)【要約】【課題】  従来、壁装材施工時の窓枠や壁装面に付着した接着剤及び汚れ落としには、水道水やアルコール系の溶液が用いられていた。この方法では、接着剤が窓枠や壁装表面に残り、それが乾燥した後、黄変及び埃の付着が発生した。またアルコール系用液での拭い取りにおいては、不快臭があった。【解決手段】  壁装施工時に、窓枠や壁装面に付着した接着剤及び汚れを希釈した洗浄剤用液で拭い取るものである。【選択図】  図１
2006169489.tif 000002
【特許請求の範囲】
【請求項１】
メタ珪酸ナトリウム  Ｎａ２・ＳｉＯ３とアルカリイオン水と磁気活水アルカリイオン水からなり、メタ珪酸ナトリウムが２％、アルカリイオン水が３８％、磁気活水アルカリイオン水が６０％の重量比で混合される合成化学物質を全く使用しない無公害の洗浄剤用液。
【請求項２】
請求事項１記載の用液を水道水或いは、ぬるま湯で４０倍に希釈して、壁装施工時の接着剤付着箇所及び壁装面の汚れの除去をスプレイ若しくは希釈水を含ませたスポンジ・布等を使用して拭い取る。
【発明の詳細な説明】
【技術分野】
【０００１】  本発明は壁装施工時の窓枠や壁装面に付着した接着剤及び汚れ落としに関わり、水をベースとする用液に関する。
【背景技術】
【０００２】  従来、壁装材施工時の窓枠や壁装面に付着した接着剤及び汚れ落としには、水道水やアルコール系の溶液が用いられていた。
【発明の開示】
【発明が解決しようとする課題】
【０００３】  上記した従来の方法では、接着剤が窓枠や壁装表面に残り、それが乾燥した後、黄変及び埃の付着が発生した。またアルコール系用液での拭い取りにおいては、不快臭があった。
【課題を解決するための手段】
【０００４】  本発明は、上記課題を解決するためになされたもので、その目的とするところは、壁装施工時の窓枠や壁装面に付着した接着剤及び汚れを拭い取り、施工後の変色、埃の付着、臭いを解消する用液である。
【発明の効果】
【０００５】  この発明の無公害洗浄用液の希釈水は、埃や汚れのない中間層で、スポンジや布を繰り返し使用することができるので、付着した接着剤や汚れを容易に拭き取ることができる。
【発明を実施するための最良の形態】
【０００６】  メタ珪酸ナトリウムとアルカリイオン水を５対９５で攪拌した、アルカリｐＨ値がおおむね１３である混合液と磁気活水アルカリイオン水からなり、混合液が４０％、磁気活水アルカリイオン水が６０％からなる合成化学物質を全く使用していない無公害の洗浄剤用液である。【０００７】  上記の磁気活水アルカリイオン水は、２００００ガウスから２５０００ガウスの磁界中を浸透させた水分子クラスターの小さい磁気活水を電解還元水整水器にて精製した活性水素を多く含んだ洗浄力の高いイオン水である。【０００８】  上記の電解還元水整水器で精製した電解水は、その酸化還元電位が−１５０ｍＶから−３５０ｍＶを維持することから、界面活性物質のヒドロキシルイオン  Ｈ３Ｏ−を発生させ汚れを浮かして洗浄する効果を長時間に亘り安定することができる。【０００９】  本発明の無公害洗浄剤用液の壁装施工時での使用形態を、図１に示す。
【図面の簡単な説明】
【００１０】
【図１】  壁装施工時での使用形態チャート図である。
【符号の説明】
【００１１】  １    第１工程
２    第２工程
３    第３工程
４    第４工程
５    第５工程
６    第６工程
７    第７工程
【図１】
2006169489.tif 000003
(57)【要約】【目的】光沢物の表面、特にガラスを研磨するときその表面に親水性を持たせ長期に渡り光沢のある高性能な環境を提供する。【構成】火山噴出物のシラスに液化処理した酸化チタン溶液と界面活性剤、アルギン酸またはアルギン酸ナトリウムとを所定の比率で混合したことを特徴としたチタンコートシラスバルーン。【選択図】なし【特許請求の範囲】
【請求項１】
火山噴出物のシラスを発泡処理した部材（シラスバルーン）に酸化チタンを液化処理した酸化チタン溶液を所定の比率で混合したことを特徴としたチタンコートシラスバルーン。
【請求項２】
火山噴出物のシラスを発泡処理した部材（シラスバルーン）に酸化チタンを液化処理した酸化チタン溶液と界面活性剤とを所定の比率で混合したことを特徴としたチタンコートシラスバルーン。
【請求項３】
火山噴出物のシラスを発泡処理した部材（シラスバルーン）に酸化チタンを液化処理した酸化チタン溶液と界面活性剤とアルギン酸またはアルギン酸ナトリウムとを所定の比率で混合したことを特徴としたチタンコートシラスバルーン。
【請求項４】
火山噴出物のシラスに酸化チタンを液化処理した酸化チタン溶液を所定の比率で混合したことを特徴としたチタンコートシラスバルーン。
【請求項５】
火山噴出物のシラスに酸化チタンを液化処理した酸化チタン溶液と界面活性剤とを所定の比率で混合したことを特徴としたチタンコートシラスバルーン。
【請求項６】
火山噴出物のシラスに液化処理した酸化チタン溶液と界面活性剤とアルギン酸またはアルギン酸ナトリウムとを所定の比率で混合したことを特徴としたチタンコートシラスバルーン。
【発明の詳細な説明】
【産業上の利用分野】
【０００１】本発明は研磨剤に関し金属、ガラスの表面を研磨すると共にその研磨表面に親水性を持たせ水切れを向上したチタンコートシラスバルーンに関するものである。
【背景技術】
【０００２】従来、金属、ガラスの表面を研磨する研磨剤が産業界で広く利用されている。
研磨剤は研磨部材の表面を分子レベルで研磨して光沢を上げる機能がある。
しかし撥水性が上がるため水滴が細かいレベルで付きやすくなる。さらに油脂等の高分子材が付着するとその表面の滑牲さで膜が全面に広がり油膜が出来やすくなるという欠点があった。
【発明が解決しようとする課題】
【０００３】この発明は上記の問題を解決するためになされたもので火山噴出物のシラスに酸化チタンを液化処理した酸化チタン溶液、界面活性剤、アルギン酸またはアルギン酸ナトリウムとを所定の比率で混合し研磨面の親水性を高めることを目的とするチタンコートシラスバルーンを提供することにある。
【課題を解決するための手段】
【０００４】この発明のチタンコートシラスバルーンでは、火山噴出物のシラス特に発泡処理した部材（シラスバルーン）に酸化チタンを液化処理した酸化チタン溶液、界面活性剤、アルギン酸またはアルギン酸ナトリウムとを所定の比率で混合することで研磨面の親水性を高め車両等のガラス面を長期間にわたり高性能に清浄することができる。
【実施例】
【０００５】本発明を実施例により詳細に説明する。
本発明のチタンコートシラスバルーンは火山噴出物のシラスに酸化チタンを液化処理した酸化チタン溶液、界面活性剤、アルギン酸またはアルギン酸ナトリウムとを所定の比率で拡散混合したものである。
ここで上記発明の詳細な製法を順次説明する。この発明のチタンコートシラスバルーンは火山噴出物のシラスを基材とする。この基材には上記シラスを発泡処理した部材（シラスバルーン）特許第２５６２７８８号を使用を使用してもよい。
液化処理した酸化チタン溶液には市販のチタンコート形成用の溶液を使用する。
その混合比は基材の３０パーセントを限度として混合する。この限度以上では効果は同様であった。さらに界面活性剤としてアルカリ溶液、高分子活性溶液を混合してもよい。
さらに、両者混合を均一にするためアルギン酸またはアルギン酸ナトリウムを配合してもよい。
上記のようにして得られた混合溶液は通常の研磨剤と同様に使用できる。
とくに、ガラス研磨においてはその表面に酸化チタンの皮膜を形成する。
この形成は研磨面に直接されるのでその皮膜強度はチタンコート形成用の溶液を単体で使用したよりも強い。
この皮膜面は光半導体として働き親水性、殺菌効果をもたらす。
【発明の効果】
【０００６】本発明のチタンコートシラスバルーンを使用すると研磨表面、即ち車両等のガラス面に酸化チタンの皮膜を形成する。この皮膜の親水性で汚れが清浄されるので研磨面が長期間保存される。さらに光半導体の殺作用もあるのでガラス裏面に使用すれば、車両内部の雑菌が消毒されクリーンなドライブ環境を提供できる。
(57)【要約】【課題】  シートの柔軟性を向上させても、強度が低下しないローションティシュ、ローショントイレットペーパーを提供することを目的とする。更に加えてローション処理されたティッシュペーパー類は、薬液の使用や加工工程の煩雑さからコストアップは避けられなかったが、このローション処理のコスト面での改善も計ったものである。【解決手段】  ソルビトール２０〜８０ｗｔ％およびグリセリン８０〜２０ｗｔ％からなる薬液を用いたことを特徴とする衛生用紙製品。【選択図】  図２
2006169689.tif 000002
【特許請求の範囲】
【請求項１】
ソルビトール２０〜８０ｗｔ％およびグリセリン８０〜２０ｗｔ％からなる薬液を用いたことを特徴とする衛生用紙製品。
【請求項２】
ソルビトール４０〜７５ｗｔ％およびグリセリン２５〜６０ｗｔ％からなる薬液を用いた請求項１記載の衛生用紙製品。
【請求項３】
柔らかさと強さを併せ持つローションティシュ類である請求項１または２記載の衛生用紙製品。
【請求項４】
保湿剤をシートに塗工、含浸又はスプレー塗布した請求項１から３までのいずれか１項記載の衛生用紙製品。
【発明の詳細な説明】
【技術分野】
【０００１】
本発明は柔らかさと強さを併せ持った衛生紙製品に関する。
【背景技術】
【０００２】
近年、フェイシャルティシュやトイレットペーパー等の衛生用紙製品は、より柔軟性を高めたローションティシュやローショントイレットペーパーが多数販売されている。
これらローションティシュ類には、グリセリン等の保湿剤を主成分としたものや、四級アンモニウム等の柔軟剤を主成分としたもの、更にシリコン等の油類を主成分としたもの、又これら薬剤を併用したものがある。
日本においては、グリセリン等の保湿剤を主成分にした薬剤をシートに塗工、含浸又はスプレー塗布した製品が主流になっている。
保湿剤を使った製品は、そのシートの水分含有率が高くなり、その分しっとりした感触となり、柔軟性向上につながる。しかし反面、シートの水分含有率が上がると、紙の強度発現因子であるパルプ繊維間の水素結合が減少し、シート強度は低下する。
従来のローションティシュやローショントイレットペーパーは、シート強度の低下から製造工程での紙切れ等による生産効率低下や製品使用上のポップアップ不良等の不具合が生じていた。
【０００３】
【特許文献１】特開平５−１５６５９６号公報
【特許文献２】特開平７−２１６７８６号公報
【発明の開示】
【発明が解決しようとする課題】
【０００４】
シートの柔軟性を向上させても、強度が低下しないローションティシュ、ローショントイレットペーパーを提供することを目的とする。更に加えてローション処理されたティシュペーパー類は、薬液の使用や加工工程の煩雑さからコストアップは避けられなかったが、このローション処理のコスト面での改善も計ったものである。
【課題を解決するための手段】
【０００５】
本発明はソルビトール２０〜８０ｗｔ％およびグリセリン８０〜２０ｗｔ％からなる薬液を用いたことを特徴とする衛生用紙製品に係わる。また本発明はソルビトール４０〜７５ｗｔ％およびグリセリン２５〜６０ｗｔ％からなる薬液を用いたものに係わる。
【０００６】
更に本発明は柔らかさと強さを併せ持つローションティシュ類であるものおよび保湿剤をシートに塗工、含浸又はスプレー塗布したものに係わる。
【０００７】
現行のローションティシュ類の保湿剤としては、多価アルコール類のグリセリンが主流であるが、本発明では同じ保湿性を有する糖アルコールのソルビトールに着目し、グリセリンとソルビトールの配合割合をかえてテストを行なった。
ソルビトールの配合率を上げていくと、グリセリン単独に比べて、柔軟性（ハンドフィール＝ＨＦ）は、多少低下するが、強度の上昇率が大きい。即ち、ＨＦは３〜８％低下するが強度は２０〜５０％向上する。特に併用で特徴的なことは、ＨＦがソルビトール５０％配合までは低下するが、更に増やすと８０％位までは向上する。強度はソルビトールの配合率上昇に比例して向上している。
上記結果から、保湿剤系のローションティシュ類にはソルビトールとグリセリンを併用し、その場合のソルビトールの配合割合は２０〜８０％、好ましくは４０〜７５％である。
【発明の効果】
【０００８】
ローションティシュ類の保湿剤として、グリセリンとソルビトールを併用することにより、柔軟性を高いレベルに維持しつつ大幅に強度が向上し、ローションティシュ類の問題であった、強度不足による生産効率の低下やポップアップ不良等の品質面の問題が、解決された。ソルビトールの配合率２０〜８０％特に４０〜７５％でグリセリンとソルビトールの相乗効果が顕著に認められた。
コスト面ではグリセリンの単価に比べて、ソルビトールの単価が３５％位安いため、併用することにより、１０〜２０％薬液コストを低減できる。
【発明を実施するための最良の形態】
【０００９】
以下に本発明を実施例によって説明するが、本発明はこれのみに制約されるものではない。
【実施例１】
【００１０】
当社のフェイシャルティシュ、商品名「スコッティカシミヤ」をベース原紙（坪量＝１５ｇ／ｍ２）として、グリセリンとソルビトール（日研化成（株）液状の化粧品グレードでＤ−ソルビトール含量６３％以上）を７５：２５、５０：５０、２５：７５、１０：９０の配合割合で混合した薬液を、それぞれ上記原紙に塗工量３０％で塗工し、恒温恒湿室（温度２０±２℃、湿度６５±５％）にて８時間以上調湿し、実施例１〜４のサンプルとした。このサンプルに対して、紙質試験（坪量、強度、ＨＦ）を行なった。その結果を表１及び図１、２に示す。
また薬液をグリセリン１００％にした以外は全て実施例と同条件でサンプルを作成し、これを比較例として実施例と同様の紙質試験を行なった。
【００１１】
【表１】
2006169689.tif 000003
【００１２】
またこれらの結果を強度については図１に、ＨＦについては図２に夫々示した。
ソルビトールの配合率の増加に伴って強度は比例的に向上し、ＨＦは低下して行くが、ソルビトール配合率５０％〜８０％位までは逆に向上しグリセリンとソルビトールの相乗効果が顕著に認められた。
これによりソルビトールの配合率２０〜８０％、特に４０〜７５％においてローションティシュとして柔らかさと強さを併せ持つ効果が得られた。
【図面の簡単な説明】
【００１３】
【図１】ソルビトールの配合率と強度（ＧＭＴ）との関係を示した図表
【図２】ソルビトールの配合率とＨＦとの関係を示した図表
【図１】
2006169689.tif 000004
【図２】
2006169689.tif 000005
(57)【要約】【課題】  ＣＤやＤＶＤディスクのデータ入力面上の埃等を容易、かつ、良好に除去できるようにする。【解決手段】クリーナー部分に静電気発生防止加工が施され、そのクリーナー部分がディスクのデータ入力面に接触状態となるようにディスクケース内に装着使用されるディスククリーナー。【選択図】  図３
2006277912.tif 000002
【特許請求の範囲】
【請求項１】
クリーナー部分１１に静電気発生防止加工が施され、そのクリーナー部分１１がディスクＤのデータ入力面に接触状態となるようにディスクケース１内に装着使用されることを特徴とするディスククリーナー。
【発明の詳細な説明】
【技術分野】
【０００１】  この発明は、各種ディスクのクリーナーに関する。
【背景技術】
【０００２】  ＣＤやＤＶＤのディスクの場合、そのデータ入力面に埃が付いているとそれが障害となってデータ再生が良好に行なわれない。したがって、その埃を除去する必要があるが、テッシュペーパー等により拭くとディスク面に傷が付いたり、また、テッシュペーパーの紙粉が付着することとなる。
【発明の開示】
【発明が解決しようとする課題】
【０００３】  したがって、専用の布等のクリーナーを用いて拭くようにしているが、清浄な状態のクリーナーを常に備えておくことは難しい問題があった。また、ディスクレンタル業者の場合、変換される多数枚のディスクの埃を一々除去するのに非常に手間のかかる問題があった。【０００４】  この発明は上記の問題点を解消するもので、ディスクのデータ入力面上の埃を容易、かつ、良好に除去できるようにするものである。
【課題を解決するための手段】
【０００５】  この発明では、クリーナー部分に静電気発生防止加工が施され、そのクリーナー部分がディスクのデータ入力面に接触状態となるようにディスクケース内に装着使用されることを特徴とするディスククリーナーを提供する。【０００６】  上記構成によれば、ディスクケース内で表面を指で軽く押さえる等してディスクを回転させることで、回転移動するデータ入力面の埃等がクリーナー部分により拭き取られる。その回転の際のディスクとクリーナー部分との接触による静電気の発生がクリーナー部分に静電気発生防止加工が施されていることで防止され、これによりディスク面への静電気発生による埃の付着が回避される。
【発明の効果】
【０００６】  この発明によれば、別途クリーナーを用いることなくディスクケース内において随時容易にディスクの埃等を除去できるようになる。とくにクリーナー部分に静電気発生防止加工が施されていることで、埃の除去性能に優れるディスククリーナーが得られる。また、ディスククリーナーはディスクケース内にあることで外部の埃等がついて汚れることがなく常に清浄に保たれるという付加的利点も有する。
【発明を実施するための最良の形態】
【０００７】  図１はこの発明のディスククリーナーの外観斜視図、図２は断面図である。ディスククリーナー１０はディスクと同様の略円形で、ワイピングクロス（製品名  サヴィーナミニマックス  カネボウ社製）よりなるクリーナー本体１１の裏面に軟質の樹脂シート１２が一体に取り付けられ、さらに、その下面に離型紙３０が一体に貼り付けられている。クリーナー本体１１には静電気発生防止加工が施されるとともに、その表面にはデザイン模様１３が印刷により設けられ、樹脂シート１２の下面には特殊加工による微細吸盤が設けられている。【０００８】  ディスククリーナー１０の中央部分には円形の切り込み線２０が形成され、使用に際してはその部分において中央の円形部２１が切り抜かれる。この切り抜かれた円形部２１はその裏面の離型紙３０が剥されて携帯電話機等に貼り付け使用され、携帯電話機の表示画面のクリーナーとして使用される。【０００９】  図３は上記ディスククリーナーが装着使用されるディスクケースの開き状態を示す斜視図、図４はケース本体側のディスク収納時の断面図である。ディスクケース１は透明のケース本体２及び蓋３と、ケース本体２内に装着されるディスクＤの白色の載置プレート４とからなり、その基本構成は従来のものと同様である。９は紙シートでありその外面にディスクＤとしてミュージックＣＤが収納される場合にはそこに収録される曲名等が付記されている【００１０】  載置プレート４にはディスクＤの中央の円形穴に嵌入される突出部６が形成されるとともに、その周囲に円形の段部７を備え、さらにその周囲が一段低い底面部８とされておりおり、この底面部８上に上記ディスククリーナー１０が装着されている。ディスククリーナー１０は離型紙３０が剥され、上記円形部２１が除かれることにより形成された円形開口２３が段部７に外嵌される状態において樹脂シート１２下面が載置プレート４の底面部８上に吸着される状態で装着されている。【００１０】  ディスククリーナー１０の厚みは載置プレート４の段部７の高さとほぼ等しくなるように設計され、ディスクＤが装着された場合にはその裏面のデータ入力面にクリーナー本体１１面が軽く接触する状態となる。そのような状態において表面を指で軽く押さえてディスクＤを回転させることで、回転移動するデータ入力面の埃等がクリーナー本体１１面により拭き取られる。【００１１】  その際、ディスククリーナー１０はその樹脂シート１２下面が上記載置プレート４の底面部８上に吸着されていることでディスクＤと共回りせず、これにより埃等の拭き取りが良好に行なわれる。また、クリーナー本体１１に静電気発生防止加工が施されていることで、その拭き取りによる回転接触による静電気発生が防止され、これにより静電気によるディスクＤ面への埃の付着も回避される。
【図面の簡単な説明】
【図１】  この発明のディスククリーナの実施形態の外観斜視図
【図２】  この発明のディスククリーナの実施形態の拡大部分断面図
【図３】  この発明のディスククリーナーの実施形態の使用状態を示す斜視図
【図４】  この発明のディスククリーナーの実施形態の使用状態を示す断面図
【符号の説明】
１    ディスクケース
１０  ディスククリーナー
１１  クリーナー本体（クリーナー部分）
Ｄ    ディスク
【図１】
2006277912.tif 000003
【図２】
2006277912.tif 000004
【図３】
2006277912.tif 000005
【図４】
2006277912.tif 000006
(57)【要約】【課題】好きな映画を見ながら英語が覚えられれば、時間とお金が節約できる。【解決手段】ビデオ映画の字幕に日本語と同時に英語の字幕を入れる。色分けをすることで、スペルと訳を理解しやすくする【選択図】図１
2006277701.tif 000002
【特許請求の範囲】
【請求項１】
外国語のビデオ映画を見る時、翻訳を表示する際、日本語と英語のように、二ヶ国語を同時表示すれば外語の勉強ができる、その際、訳語ごとに色分けしてあげれば、辞書を引かなくとも、意味が理解しやすくなる。
【発明の詳細な説明】
【技術分野】
【０００１】字幕を二カ国同時に表示することにより、喋っている言葉を理解しやすくし、単語ごとに色分けすることにより辞書を引かなくても意味が理解できるようにする。【０００２】二カ国同時表示、単語ごとの色分け
【背景技術】
【０００３】翻訳のみ表示
【発明が解決しようとする課題】
【０００４】翻訳のみの表示だと、スペルがわからない為、語学を勉強するには難しすぎる。
【課題を解決するための手段】
【０００５】二カ国同時に表示し、単語ごとに色分けする。
【発明を実施するための最良の形態】
【０００６】ビデオ映画の字幕、翻訳と外語の同時表示。
【発明の効果】
【０００７】外国映画を見ながら、外語を勉強する。
【図面の簡単な説明】
【図１】表示の仕方を表した例である
【図１】
2006277701.tif 000003
(57)【要約】      （修正有）【課題】暗証番号が入力される際に、非正規ユーザに覗かれたり、盗まれたりする危険性を減らし、簡易端末のも導入可能な使い捨て暗証番号生成アルゴリズムを提供する。【解決手段】暗証番号を”表暗証番号”、”裏暗証番号”と”表裏暗証番号間のリンク関係”に分け、正規ユーザは事前に”裏暗証番号”として利用する複数の画像とその順序、リンク関係の計算の有無、”表暗証番号”の表記方法を”表裏暗証番号間のリンク関係”として設定し、正規ユーザはランダムに配置されている画像から、目視で事前に設定した”裏暗証番号”（特定の画像もしくは写真や位置場所）に記録されたランダムの文字列を見つけ、事前に設定された”表裏暗証番号間のリンク関係”に基づいて、心の中で”表暗証番号”を生成し、暗証番号として入力する。【選択図】図４
2006277707.tif 000002
【特許請求の範囲】
【請求項１】
隠し暗証番号を利用する使い捨てパスワードの生成アルゴリズム
【発明の詳細な説明】
【技術分野】
【０００１】本発明は”表暗証番号（ａｗａｒｅ  ｐａｓｓｗｏｒｄ）”、”裏暗証番号（ｕｎａｗａｒｅ  ｐａｓｓｗｏｒｄ）”と”表裏暗証番号間のリンク関係（ｌｉｎｋ）”の３つの部分を持つ暗証番号生成アルゴリズムである。裏暗証番号は従来の英数字の暗証番号と異なり、特定な画像、写真、位置場所とするものである。表暗証番号はランダムで生成する英数字であり、認証入力時に使用されるものである。表裏暗証番号間のリンク関係は表暗証番号と裏暗証番号のリンク関係を表し、計算なしで裏暗証番号と表暗証番号を単純にリンクさせる手法、解読される確率を下げるために暗算可能な関数や計算を導入した裏暗証番号と表暗証番号のリンクさせる手法がある。
【背景技術】
【０００２】従来の暗証番号による認証に使用されていた暗証番号は認証に伴う入力際に、暗証番号が覗かれやすく、盗まれてしまうケースが多い。一方、非正規ユーザに見られても大丈夫のような使い捨てパスワード（ＯＴＰ）もあるが、ハードウェアへの要求が高く、仕組みが複雑のため、導入に伴うコストが高い。
【発明の開示】
【発明が解決しようとする課題】
【０００３】本発明は暗証番号が入力される際に、非正規ユーザに覗かれたり、盗まれたりする危険性を減らし、簡易端末にも導入可能な使い捨て暗証番号生成アルゴリズムである。
【課題を解決するための手段】
【０００４】本発明は従来の暗証番号による認証システムが使う暗証番号を”表暗証番号”、”裏暗証番号”と”表裏暗証番号間のリンク関係”に分けた。表暗証番号はランダムに生成された英数字の文字列である。裏暗証番号には画像、写真、位置場所という非正規ユーザが目視だけではわからなく、覚えられないものをする。表と裏暗証番号間のリンク関係は事前に正規ユーザによって設定される。正規ユーザは目視で事前に裏暗証番号として指定した複数の画像や位置に記載されていたランダムの文字列を記憶し、表暗証番号として認証システムに入力する。正規ユーザは目視ですぐに事前に設定した裏暗証番号（特定の画像もしくは写真や位置場所）に記録されたランダムの文字列を見つけ、事前に設定された”表裏暗証番号間のリンク関係”に基づいて正規ユーザが心の中で表暗証番号を生成し、認証を行う。
【発明の効果】
【０００５】本発明は非正規ユーザから正規ユーザがどの裏暗証番号を見て、どのような”表裏暗証番号間のリンク関係”を利用したのかを表暗証番号となるランダムの文字列から割り出しにくい仕組みとなっている。また、非正規ユーザは瞬時に正規ユーザの裏暗証番号となる選択肢全部（すべての画像もしくは写真や位置場所）及び表暗証番号の選択肢（すべて画像もしくは写真や位置場所に割与えられたランダムの文字列）を正確に記憶するのも極めて困難である。本発明は”裏暗証番号”、”表裏暗証番号間のリンク関係”を非正規ユーザの目から隠すことにより、覗きによる暗証番号の盗難を防ぐことができ、本発明のアルゴリズムが非常に簡単で、低コストで導入可能という利点を持つ。
【発明を実施するための最良の形態】
【０００６】本発明を実施するための最良形態として、携帯電話端末における認証システムへの応用を例として挙げる。本発明を利用した携帯電話端末における認証システムは事前設定と実際認証過程の２つの部分から構成され、それぞれの内容は以下となる。
事前設定：
１）裏暗証番号として利用する画像を３つ設定する  （図１）
２）表裏暗証番号間のリンク関係を計算なし、画像の順序有効で裏暗証番号となる画像の順序を設定し、表暗証番号の表記に２桁英数字を使用するものと設定する  （図２）
認証過程：
１）裏暗証番号にランダムで生成された英数字を選んで、表裏暗証番号間のリンク関係に基づいてユーザにより表暗証番号を生成する  （図３）
２）暗証番号入力用の画面に移り、表暗証番号を入力し、認証を行う  （図４）
【実施例】
【０００７】本発明を利用し、携帯電話端末における実施例を行った。
2006277707.tif 000003
【産業上の利用可能性】
【０００８】本発明の使い捨て暗証番号アルゴリズムは携帯端末、コンピュータをはじめ、電子錠、銀行のＡＴＭ機などの認証用電子設備に利用されることができる。
【図面の簡単な説明】
【０００９】
【図１】裏暗証番号を設定する画面である。“７；８；１０”というのは７、８、１０番の画像を裏暗証番号とするということを意味する。
【００１０】
【図２】リンク関係を設定する画面である。ａ）計算のところに”０”を入力し、計算なしで表裏暗証番号のリンク関係を意味する。ｂ）画像順序に”１；７  １０  ８”という入力を画像順序ありという意味で、順序関係は７、１０、８番目の画像という順序で表暗証番号を構成する意味を表す。ｃ）表記のところに”Ａ０；０Ａ”という入力は表暗証番号に使用する文字列のパタンは”１つ英字＋１つ数字”もしくは”１つ数字＋１つ英字”を表す。
【００１１】
【図３】待機中の画面である。裏暗証番号となる画像とこの他のダミ画像がランダムに動き、表記される。
【００１２】
【図４】認証画面である。すべての画像に事前設定によって、２桁の英数字がランダムに割り与えられている。使用する画像、画像の配置は認証するたびにランダムに配置されている。ユーザは裏暗証番号に使っている画像を目視で見つけ出し、ランダムの２桁の英数字文字列を”計算なし、画像順序あり”という表裏暗証番号間のリンク関係に基づいて、心の中で表暗証番号を生成する。
【００１３】
【図５】生成した表暗証番号を入力し、認証をかける画面である。ここでは表暗証番号はｃ７３ａ７Ｂである。ここで認証が失敗した場合は、図３のような新たに認証画面が表示される。
【符号の説明】
【００１４】なし
【図１】
2006277707.tif 000004
【図２】
2006277707.tif 000005
【図３】
2006277707.tif 000006
【図４】
2006277707.tif 000007
【図５】
2006277707.tif 000008